(57)【要約】【課題】簡易な構造及び動作機構を有し、被測定者の測定方法が測定結果に影響することの少ない体表面モニタを提供する。【解決手段】被測定者１０の前面および背面に付着した放射性物質からの放射線を測定する前面背面兼用の表面汚染検査用放射線検出部１と、被測定者１０の右側面および左側面に付着した放射性物質からの放射線を測定する右側面左側面兼用の表面汚染検査用放射線検出部２と、被測定者１０の右手および左手に付着した放射性物質からの放射線を測定する右手左手兼用の表面汚染検査用放射線検出部３と、被測定者１０の右足および左足に付着した放射性物質からの放射線を測定する右足左足兼用表面汚染検査用放射線検出部４とを備えている構成とする。【選択図】  図１
2004264204.tif 000002
【特許請求の範囲】
【請求項１】
被測定者の前面および背面に付着した放射性物質からの放射線を測定する前面背面兼用の表面汚染検査用放射線検出部と、前記被測定者の右側面および左側面に付着した放射性物質からの放射線を測定する右側面左側面兼用の表面汚染検査用放射線検出部と、前記被測定者の右手および左手に付着した放射性物質からの放射線を測定する右手左手兼用の表面汚染検査用放射線検出部と、前記被測定者の右足および左足に付着した放射性物質からの放射線を測定する右足左足兼用表面汚染検査用放射線検出部とを備えていることを特徴とする体表面モニタ。
【請求項２】
前記右手左手兼用の表面汚染検査用放射線検出部は、手の形状を識別する手形状識別センサを備えていることを特徴とする請求項１記載の体表面モニタ。
【請求項３】
前記被測定者の足の形状を識別する足形状識別センサを備えていることを特徴とする請求項１記載の体表面モニタ。
【請求項４】
前記被測定者の向くべき方向を示す指示灯を備えていることを特徴とする請求項１記載の体表面モニタ。
【請求項５】
前記被測定者の入退場を制限する入退場制限装置を備えていることを特徴とする請求項１記載の体表面モニタ。
【請求項６】
前記被測定者に放射線の汚染があったときに点灯する表示灯を備えていることを特徴とする請求項１記載の体表面モニタ。
【発明の詳細な説明】
【０００１】
【発明の属する技術分野】
本発明は被測定者に付着した放射性物質からの放射線を測定する体表面モニタに関する。
【０００２】
【従来の技術】
従来の体表面モニタは、代表的構成を図２に示すように、被測定者１０をとり囲む形で被測定者１０の前面１０ａの表面放射線量を検出する前面表面汚染検査用放射線検出部１１、被測定者１０の背面１０ｂの表面放射線量を検出する背面表面汚染検査用放射線検出部１２、被測定者１０の右側面１０ｃの表面放射線量を検出する右側面表面汚染検査用放射線検出部（開閉式）１３、被測定者１０の左側面１０ｄの表面放射線量を検出する左側面表面汚染検査用放射線検出部（開閉式）１４、被測定者１０の右手１０ｅの表面放射線量を検出する右手用表面汚染検査用放射線検出部１５、被測定者１０の左手１０ｆの表面放射線量を検出する左手用表面汚染検査用放射線検出部１６、被測定者１０の右足１０ｇの表面放射線量を検出する右足用表面汚染検査用放射線検出部１７および被測定者１０の左足１０ｈの表面放射線量を検出する左足用表面汚染検査用放射線検出部１８が設けられている（下記特許文献１および２参照）。この構成によって、被測定者の各々の部位について一度に表面放射線量の測定を行っていた。
【０００３】
【特許文献１】
特開平５−２３２２３６号公報
【特許文献２】
特開平１０−２０６５５０号公報
【０００４】
【発明が解決しようとする課題】
上記のように従来の体表面モニタは、一度に全汚染部位の測定が可能であるような、出入り口に扉を持つ測定室を有するゲート型である。しかしながら、こうした形では設置場所が限定されると共に、構造や動作機構が複雑になるなどのデ課題がある。
【０００５】
一方、簡易な汚染検査装置としてハンドフットクロスモニタがある。しかしこのモニタは、手表面と足の裏については比較的ばらつきが少なく評価できるものの、衣服上の汚染評価は被測定者の測定方法により大きな値のばらつきが生じると共に、背面部等の測定の難しい箇所があるという問題がある。
そこで本発明は、簡易な構造及び動作機構を有し、被測定者の測定方法が測定結果に影響することの少ない体表面モニタを提供することを目的とする。
【０００６】
【課題を解決するための手段】
上記課題を解決するために、請求項１記載の発明は、被測定者の前面および背面に付着した放射性物質からの放射線を測定する前面背面兼用の表面汚染検査用放射線検出部と、前記被測定者の右側面および左側面に付着した放射性物質からの放射線を測定する右側面左側面兼用の表面汚染検査用放射線検出部と、前記被測定者の右手および左手に付着した放射性物質からの放射線を測定する右手左手兼用の表面汚染検査用放射線検出部と、前記被測定者の右足および左足に付着した放射性物質からの放射線を測定する右足左足兼用表面汚染検査用放射線検出部とを備えている構成とする。
【０００７】
請求項２記載の発明は、前記右手左手兼用の表面汚染検査用放射線検出部は、手の形状を識別する手形状識別センサを備えている構成とする。
請求項３記載の発明は、前記被測定者の足の形状を識別する足形状識別センサを備えている構成とする。
【０００８】
請求項４記載の発明は、前記被測定者の向くべき方向を示す指示灯を備えている構成とする。
請求項５記載の発明は、前記被測定者の入退場を制限する入退場制限装置を備えている構成とする。
請求項６記載の発明は、前記被測定者に放射線の汚染があったときに点灯する表示灯を備えている構成とする。
【０００９】
【発明の実施の形態】
以下、図１を参照して本発明の実施の形態を説明する。
本実施の形態の体表面モニタは、被測定者１０の前面１０ａおよび背面１０ｂに付着した放射性物質からの放射線を測定する前面背面兼用の表面汚染検査用放射線検出部１と、被測定者の右側面１０ｃおよび左側面１０ｄに付着した放射性物質からの放射線を測定する右側面左側面兼用の表面汚染検査用放射線検出部２と、被測定者の右手１０ｅおよび左手１０ｆに付着した放射性物質からの放射線を測定する右手左手兼用の表面汚染検査用放射線検出部３と、被測定者の右足１０ｇおよび左足１０ｈに付着した放射性物質からの放射線を測定する右足左足兼用の表面汚染検査用放射線検出部４からなる。
【００１０】
被測定者１０は前面背面兼用の表面汚染検査用放射線検出部１に正対した位置で１回、前面背面兼用の表面汚染検査用放射線検出部１を背に向けた位置で１回の計２回の測定を行う。
【００１１】
本実施の形態の体表面モニタは、被測定者１名あたり２回の測定が必要であるかわりに、検出器台数が少なく簡易な構造となっている。そのため、測定結果が被測定者１０の測定方法によって左右されにくい。
【００１２】
本実施の形態の体表面モニタにおいて、右手左手兼用の表面汚染検査用放射線検出部３に、被測定者１０の手１０ｅ，１０ｆの形状を識別する手形状識別センサ、例えば親指の位置を識別するセンサを設けてもよい。このセンサによって、被測定者１０がどちらを向いているかを確認し、前後二方向での測定が行われることを保証することができる。これによって確実に全身の測定を行うことができる。
【００１３】
また本実施の形態の体表面モニタにおいて、被測定者１０の足部１０ｇ，１０ｈの形状を識別する足形状識別センサ、例えば、靴の先端の太さでつま先か踵かを識別するセンサを設けてもよい。このセンサによって、被測定者１０がどちらを向いているかを確認するし、前後二方向での測定を保証することができる。
【００１４】
また本実施の形態の体表面モニタにおいて、被測定者１０の向くべき方向を示す指示灯５を備えるようにしてもよい。この指示灯５の指示に従うことで、測定に慣れれていない被測定者１０でも、前面と背面の２回の測定を正しく行うことができる。
【００１５】
また本実施の形態の体表面モニタにおいて、被測定者１０が位置すべき場所への出入部に入退場者を制限する装置、例えば遮断バー６を設けるようにしてもよい。被測定者１０が測定区画に入った後、遮断バー６のロックを行い、被測定者１０が所定の測定方向での測定をすべて終了することが確認されるまで、遮断バー６のロックを解除しないことで確実に所定の測定を行うことができる。
【００１６】
また本実施の形態の体表面モニタにおいて、各放射線検出部１，２，３，４に評価対象とする放射線測定部位の数だけ表示灯を設置し、放射線の汚染があった場合、該当箇所の表示灯を点灯させるようにしてもよい。このようにすることで被測定者および管理者に汚染部位を知らせ、その後の除染作業を迅速適確に行うことができる。
【００１７】
さらに本実施の形態の体表面モニタにおいて、各表面汚染検査用放射線検出部１，２，３，４を複数の放射線検出器により構成することで、汚染部位のさらに細かな特定を行うことができる。
【００１８】
【発明の効果】
本発明によれば、簡易な構造及び動作機構を有し、被測定者の測定方法が測定結果に影響することの少ない体表面モニタを提供することができる。
【図面の簡単な説明】
【図１】本発明の実施の形態の体表面モニタの概略平面図。
【図２】従来の体表面モニタの概略平面図。
【符号の説明】
１…前面背面兼用の表面汚染検査用放射線検出部、２…右側面左側面兼用の表面汚染検査用放射線検出部、３…右手左手兼用の表面汚染検査用放射線検出部、４…右足左足兼用の表面汚染検査用放射線検出部、５…指示灯、６…遮断バー、１０…被測定者、１１…前面表面汚染検査用放射線検出部、１２…背面表面汚染検査用放射線検出部、１３…右側面表面汚染検査用放射線検出部（開閉式）、１４…左側面表面汚染検査用放射線検出部（開閉式）、１５…右手用表面汚染検査用放射線検出部、１６…左手用表面汚染検査用放射線検出部、１７…右足用表面汚染検査用放射線検出部、１８…左足用表面汚染検査用放射線検出部。
【図１】
2004264204.tif 000003
【図２】
2004264204.tif 000004